(57)【要約】      （修正有）【課題】片手で容易に操作可能で大きな担持力を有した洗濯バサミ。【解決手段】略コの字型であり、その一端の近傍に本体スライドガイド１ｃ及び本体軸孔１ｄを備えた本体部と、略直方体であり、その一端の近傍に回転体スライドガイド及びその中央部に回転体軸孔を備えた回転体２と、略直方体であり、その一端の近傍に吊り孔及びその他端の近傍に吊具孔を備えた吊具３とからなる。本体スライドガイド及び回転体スライドガイド及び吊具孔を軸が貫くことによって本体１の内部において本体及び回転体及び吊具が接続され、回転体軸孔及び本体軸孔を軸が貫くことによって本体及び回転体が接続される。吊具が本体スライドガイドの範囲内で移動することにともなって回転体が回転体軸孔を中心に回転動作し、本体部の他端と回転体が接触状態及び非接触状態となる。【選択図】図１
2017196372.tif 000002
【特許請求の範囲】
【請求項１】
略コの字型であり、その一端の近傍に本体スライドガイド及び本体軸孔を備えた本体部と、
略直方体でありその一端の近傍に回転体スライドガイド及びその中央部に回転体軸孔を備えた回転体と、
略直方体でありその一端の近傍に吊り孔及びその他端の近傍に吊具孔を備えた吊具とからなる吊り下げ型洗濯バサミであって、
本体スライドガイド及び回転体スライドガイド及び吊具孔を軸が貫くことによって本体の内部において本体及び回転体及び吊具が接続され、
回転体軸孔及び本体軸孔を軸が貫くことによって本体及び回転体が接続され、
吊具が本体スライドガイドの範囲内で移動することにともなって回転体が回転体軸孔を中心に回転動作し、
当該回転動作によって本体部の他端と回転体が接触状態及び非接触状態となることを特徴とした片手操作可能な吊り下げ型洗濯バサミ。
【請求項２】
略コの字型であり、その一端の近傍に本体左スライドガイド及び本体左軸孔を備え、その他端の近傍に本体右スライドガイド及び本体右軸孔を備えた本体部と、
略直方体でありその一端の近傍に左回転体スライドガイド及びその中央部に左回転体軸孔を備えた左回転体と、
略直方体でありその一端の近傍に右回転体スライドガイド及びその中央部に右回転体軸孔を備えた右回転体と、
略Ｙの字型であり、その二股となっている一端の近傍に左吊具孔、二股となっている他端の近傍に右吊具孔を備え、一本状となっている端部の近傍に吊り孔を備えた吊具とからなる吊り下げ型洗濯バサミであって、
本体左スライドガイド及び回転体左スライドガイド及び左吊具孔を軸が貫くことによって本体及び回転体及び吊具が接続され、
本体右スライドガイド及び回転体右スライドガイド及び右吊具孔を軸が貫くことによって本体及び回転体及び吊具が接続され、
左回転体軸孔及び本体左軸孔を軸が貫くことによって本体及び左回転体が接続され、
右回転体軸孔及び本体右軸孔を軸が貫くことによって本体及び右回転体が接続され、
吊具が本体左スライドガイドの範囲内で移動することにともなって左回転体が左回転体軸孔を中心に回転動作し、吊具が本体右スライドガイドの範囲内で移動することにともなって右回転体が右回転体軸孔を中心に回転動作し、
当該回転動作によって左回転体と右回転体が接触状態及び非接触状態となることを特徴とした片手操作可能な吊り下げ型洗濯バサミ。
【請求項３】
請求項１に記載の片手操作可能な吊り下げ型洗濯バサミであって、
回転体軸孔は回転体の中央部よりも回転体スライドガイドに偏った位置に備れたことを特徴とする片手操作可能な吊り下げ型洗濯バサミ。
【請求項４】
略Ｙの字型でありその一端の近傍に本体スライドガイドを備え、二股となっている他端の一方にのみ本体軸孔を備えた本体部と、
略扇型でありその中心部近傍に回転体軸孔、回転体軸孔の近傍に回転体バネ受けを備えた回転体と、
略直方体でありその一端の近傍に吊り孔及びその他端の近傍に吊具孔及び吊具バネ受けを備えた吊具とからなる吊り下げ型洗濯バサミであって、
本体軸孔と回転体軸孔を軸で接続することによって本体と回転体が接続され、
吊具孔と本体スライドガイドを軸で接続することによって吊具と本体が接続され、
吊具バネ受けと回転体バネ受けをバネまたは連結体で接続し、吊具がスライドガイドにそって上方向に移動するにつれて回転体が回転体軸孔を中心に回転し、
当該回転動作によって回転体と本体の二股となっている他端の回転体が備えられていない箇所とが接触状態及び非接触状態となることを特徴とした片手操作可能な吊り下げ型洗濯バサミ。
【請求項５】
略Ｙの字型でありその一端の近傍に本体スライドガイドを備え、他端のそれぞれの近傍に本体左軸孔及び本体右軸孔を備えた本体部と、
略扇型でありその中心部近傍に左回転体軸孔、回転体軸孔から見て左側に左回転体バネ受けを備えた左回転体と、
略扇型でありその中心部近傍に右回転体軸孔、回転体軸孔から見て右側に右回転体バネ受けを備えた右回転体と、
略直方体でありその一端の近傍に吊り孔及びその他端の近傍に吊具孔及び吊具左バネ受け及び吊具右バネ受けを備えた吊具とからなる吊り下げ型洗濯バサミであって、
本体左軸孔と左回転体軸孔を軸で接続し、本体右軸孔と右回転体軸孔を軸で接続することによって本体と左回転体及び右回転体がそれぞれ接続され、
吊具孔と本体スライドガイドを軸で接続することによって吊具と本体が接続され、
吊具バネ左受けと左回転体バネ受けをバネまたは連結体で接続し、吊具バネ右受けと右回転体バネ受けをバネまたは連結体で接続することで、吊具がスライドガイドにそって上方向に移動するにつれて左回転体が時計と順方向へ左回転体軸孔を中心に回転し、右回転体が時計と逆方向へ右回転体軸孔を中心に回転し、逆に吊具がスライドガイドにそって下方向に移動するにつれて左回転体が時計と逆方向へ左回転体軸孔を中心に回転し、右回転体が時計と順方向へ右回転体軸孔を中心に回転し、
当該回転動作によって左回転体と右回転体が接触状態及び非接触状態となることを特徴とした片手操作可能な吊り下げ型洗濯バサミ。
【請求項６】
請求項５に記載の吊り下げ型洗濯バサミであって、
前記略扇型の左回転体は左回転体軸孔からみて右側から左側に円弧が徐々に大きくなっており、
前記略扇型の右回転体は右回転体軸孔からみて左側から右側に円弧が徐々に大きくなっていることで、
左回転体と右回転体の接触状態を維持する力が、左回転体については時計と順方向への回転、右回転帯については時計と逆方向への回転とともに増大することを特徴とする吊り下げ型洗濯バサミ。
【発明の詳細な説明】
【技術分野】
【０００１】
本発明は、洗濯バサミに関し、特に、竿などに吊るして使われるタイプの洗濯バサミ及び該洗濯バサミを多数吊り下げたハンガーに関する。
【背景技術】
【０００２】
洗濯バサミは、靴下やハンカチといった洗濯小物を干す場合に竿等に固定する用途で用いられている。洗濯バサミが多数吊り下げられた洗濯バサミハンガーも頻繁に用いられている。
【０００３】
従来の洗濯バサミは、レバー部と留め具部と連結支点部の機能を合わせ持つ形状にプラスチックで作成された本体部2個と金属で作成されたバネで構成されている。さらに、ものほし竿などに引っ掛けるためのプラスチックで作製された吊るし具を備えている場合も多い。
【０００４】
本体部は、操作部、作用部、支点から構成され、支点で互いに接続され、作用部は常にバネの圧力によって接触状態となっている。この状態で操作部に圧力を加えることで作用部の接続状態が解除される。
【０００５】
すなわち、操作部に圧力を加えている間に洗濯物を作用部間に挿入し、そののちに操作部の圧力を除去し作用部間が近接し、ついには洗濯物をはさんだ状態で固定される。
【０００６】
したがって、操作部の操作及び作用部への洗濯物の挿入という２つの動作が必要となるため、洗濯バサミの操作には両腕が必要となる。これは洗濯バサミが多数吊り下げられた洗濯バサミハンガーにおいても同様である。
【０００７】
そのため、片手が不自由な人間や、筋力が弱まる高齢者、病人にとっては使用しづらい。さらに、洗濯バサミを用いる場所は高所や狭所であることが多く、両手が自由になる健常者にとっても必ずしも使いやすいものではなかった。  
【０００８】
この課題を克服するため、実用新案文献１では左右一対の挟持体の先端部に挟持片を設け、各挟持片は相互に当接・離隔自在で、かつ、相互に当接する方向に弾性付勢することで、洗濯物等を干す際には、物干し竿等に取り付けた洗濯バサミの両挟持片間に洗濯物の一部を挿入するだけで、両挟持片により洗濯物等の一部を簡単に挟持させることができる洗濯バサミが開示されている。
【先行技術文献】
【特許文献】
【０００９】
【特許文献１】特開２００６−１０２０２１号公報
【発明の概要】
【発明が解決しようとする課題】
【００１０】
だが、特許文献１に記載の発明では、挟持片を上方向に押し上げる動作を行いつつ洗濯物を挟持片間に挿入し、その後に挟持片を押し上げる動作をやめるまで洗濯物を挟持片間で保持するという、複雑な動作を必要としている。
【００１１】
さらに、弾性を制御することができないため洗濯物を保持する力を調整できない。そのため、重量物を干す場合や風の強い日でも挟持しつづけるために弾性を強くした場合、力の弱い者にとっては容易に操作することができなくなってしまう。
【００１２】
また、洗濯物を取り外す際には、挟持片を上方向に押し上げる操作が必要となるが、これは洗濯物ハンガーのように多数の洗濯物を取り外す際には煩雑であった。
【課題を解決するための手段】
【００１３】
そこで本発明では、略コの字型でありその一端の近傍に本体スライドガイド及び本体軸孔を備えた本体部と、略直方体でありその一端の近傍に回転体スライドガイド及びその中央部の近傍に回転体軸孔を備えた回転体と、略直方体でありその一端の近傍に吊り孔及びその他端の近傍に吊具孔を備えた吊具とからなる吊り下げ型洗濯バサミであって、本体スライドガイド及び回転体スライドガイド及び吊具孔を軸が貫くことによって本体及び回転体及び吊具が接続され、回転体軸孔及び本体軸孔を軸が貫くことによって本体及び回転体が接続され、吊具が本体スライドガイドの範囲内で移動することにともなって回転体が回転体軸孔を中心に回転動作し、当該回転動作によって本体部の他端と回転体が接触状態及び非接触状態となることを特徴とした吊り下げ型洗濯バサミを提供する。
【発明の効果】
【００１４】
本発明の吊り下げ型洗濯バサミは、操作時には回転体の片手で押し上げつつ吊り下げたい物を本体部と回転体の間に挿入し、回転体を接触状態とすることで吊り下げたい物を担持させることができるばかりか、当該吊り下げたい物の質量によって本体の下方に負荷がかかることによって吊具が本体スライドガイド部の上方へ移動することによって回転体が接触状態を維持する方向へ力が働く。
【００１５】
すなわち、吊り下げたい物の挿入時には軽い力で容易に操作可能でありながら、物を吊り下げる場合は当該物の自重によって大きな力が発生するため、風の強い日などであっても吊り下げたい物をしっかりと担持することができる。
【図面の簡単な説明】
【００１６】
【図１】本発明の吊り下げ型洗濯バサミの第１の実施形態を示した図
【図２】本発明の吊り下げ型洗濯バサミの第２の実施形態を示した図
【図３】第２の実施形態の回転体を略扇型とした変形例を示した図
【図４】本発明の吊り下げ型洗濯バサミの第３の実施形態を示した図
【図５】本発明の吊り下げ型洗濯バサミの第３の実施形態の動作を示した図
【図６】本発明の吊り下げ型洗濯バサミの第４の実施形態を示した図
【図７】第３及び第４の実施形態の本体スライドガイドを廃した変形例を示した図
【発明を実施するための形態】
【００１７】
以下、本発明の実施の形態について、添付図面を参照しながら説明する。
【００１８】
図１は、本発明の第１実施形態に係る吊り下げ型洗濯バサミの正面図及び断面図である。図１に示すとおり、本体１は直方体を２回折り曲げた略コの字型の形状となっており、内部は空洞となっている。以下、略コの字型の開口部のある側を下、接続されている側を上と表現して説明する。
【００１９】
本体は本体片１ａ及び本体片１ｂが本体接続部１ｅを通じて一体化することによって構成されている。本体片１ａ及び１ｂの材質としてはＡＢＳ樹脂をはじめとするプラスチックや、木材、アルミニウムなどが適している。
【００２０】
本体接続部１ｅの接続方法には公知のあらゆる方法を採用することができ、例えばツメとツメ受け部を構成することとしてもよいし、接着剤を用いてもよいし、軸を貫くことで接続してもよい。
【００２１】
本体接続部１ｅは数を増やせば増やすほど本体片１ａ及び１ｂを強固に接続できるが、コスト増となるため、略コの字型の本体の先端部や角となる部分を中心に設置すればよく、３から４箇所設置すれば十分である。
【００２２】
本体部の一端近傍には本体スライドガイド１ｃが、上下方向にむかって開けられており、その近傍には本体軸孔１ｄが開けられている。また、スライドガイドの上方向にも後述する吊具３が通る程度の本体開口部１ｆが設けられている。
【００２３】
回転体２は略直方体で好ましくは両端が半円柱状となっており、その中央部からやや長辺方向に離れた箇所に回転体軸孔と、当該回転体軸孔よりさらに長辺方向に離れた箇所に回転体の長辺方向にそって回転体スライドガイドが開けられている。
【００２４】
回転体２は回転体軸孔と本体軸孔１ｄを軸で貫くことによって本体１と回転自由な状態で接続されている。回転体のサイズは回転体が水平となる際に本体１の略コの字型の開口部を塞ぎ、略ロの字型となるよう設計している。
【００２５】
回転体２の材質としては、本体と同様にＡＢＳ樹脂をはじめとするプラスチックや、木材、アルミニウムなどが適している。
【００２６】
吊具３は略直方体であり、その材質としては本体と同様にＡＢＳ樹脂をはじめとするプラスチックや、木材、アルミニウムなどが適している。
【００２７】
吊具３の一端には吊り孔が開けられており、他端には吊具軸３ａが開けられている。なお、吊り孔周辺部を吊り孔と中心を共有する半円柱状と加工することで、デザイン上の美観を増すことができるばかりか、手でつかむ等の動作を行う際に角があたることがなくなる。
【００２８】
吊具３はスライドガイド１ｃ、回転体スライドガイド、吊具軸３ａを軸で貫くことで本体及び回転体と一体化されている。そのため、吊具３がスライドガイド１ｃの範囲内で移動する動きに連動して回転体２が回転体軸を中心に回転する。
【００２９】
本発明の特徴として、上述の回転体軸孔が回転体２の中央部からやや長辺方向に離れた方向に設けられているため、テコの原理により回転体２の回転体軸孔を挟んだ反対側の動きは、吊具３がスライドガイド１ｃで動く範囲よりも大きくなる。すなわち、本体をコンパクトに保ちながら、開閉部の動きを大きくとることができる。
【００３０】
本体スライドガイド１ｃの大きさは、吊具がもっとも上部に達した際に回転体が水平となることで本体の先端に再接近し、吊具がもっとも下部に達した際に回転体が上部に移動することで本体と回転体の間に洗濯物等を挿入しやすくなる程度の隙間があくよう設計される。
【００３１】
このような構成を採用した第１の実施形態に係る吊り下げ型洗濯バサミは、吊り孔に紐や洗濯竿を通じて吊り下げた状態で用いられる。このとき、本体１及び回転体２の質量によって吊具３はスライドガイド１ｃのもっとも上方となる位置で安定状態となっている。
【００３２】
洗濯物等をはさむ際は、指等で回転体や本体を押し上げることで吊具３がスライドガイド１ｃの中央部へ向かって移動し、同時に本体１と回転体２の間に隙間が発生する。
【００３３】
その隙間に洗濯物等を挿入した後に回転体を押し上げる動作を終了すると、本体１及び回転体２の質量によって再び吊具３はスライドガイド１ｃのもっとも上方となる位置へ移動し安定状態へと復帰する。
【００３４】
この時、回転体２と本体１の間の隙間が最小状態、このましくはゼロとなることから、洗濯物は回転体２と本体１の間に挟まった状態となり、洗濯バサミとしての機能が発揮される。
【００３５】
その場合、洗濯物自体の質量が本体１に加わることになるため、何も挟んでいない状態よりも大きな力が下方向へと加わることとなる。この力はスライドガイド１ｃ及び吊具３を通じて回転体２を時計方向に回転する力となり働く。
【００３６】
すなわち、洗濯物自体の質量によって、洗濯物を挟む力が増大することとなるため、外部から大きな力が加わった場合であっても洗濯物を保持し続けることが可能となる。なお、吊具３は回転体スライドガイドの範囲内で移動可能であることから、吊具３が回転軸から離れる方向へ回転体スライドガイド内を移動させることにより、洗濯物をより強い力で保持することも可能となる。
【００３７】
第１の実施形態に係る吊り下げ型洗濯バサミの動作原理をテコの原理の支点、力点、作用点を用いて説明すると、回転体２がテコに当り、吊具３と回転体２の接続部となる回転体スライドガイドは支点、回転体と本体１の接続部となる本体軸が力点、回転体２の開閉により本体の他端との略接触部、すなわち洗濯バサミとして挟み付ける箇所が作用点に相当する。
【００３８】
吊り孔を通じて吊り下げ型洗濯バサミを吊り下げることにより、本体１と回転体２は吊具３と回転体２の接続部で支えられ（支点）、これらの質量が回転体と本体の接続部に加わり（力点）、回転体が接触部（挟み付ける箇所)に当たって(作用点)、回転が止まり安定状態となる。                      
【００３９】
そのため洗濯物が挟まった状態においては、洗濯物の質量が作用する、(挟み込んだ部位が作用点となる)ので、更に本体を押し下げることで回転体を回転させるので、挟み込む力がより強くなるのである。
【００４０】
さらに洗濯物を挟む力を増大させるために、回転体の表面にシリコンゴム材を用いることや、シボ加工や凹凸形状に加工することで、表面摩擦力を増大させてもよい。
【００４１】
本体１の回転体が接続されていない側の端部のうち回転体と近接する箇所や、回転体を少しふくらませることで丸い形状としてもよい。この場合、洗濯物をはさむ際に直接接触する箇所が緩やかに洗濯物と接することとなり、洗濯物に挟んだことによるシワや跡が残りにくくなる。逆に、回転体の形状を略直方体から略扇型の丸い形状としても同様の効果を発揮することが可能である。
【００４２】
本体１の空洞部に錘を内蔵させてもよい。錘の質量によって本体の質量が増大し、回転体２を時計方向に回転する力が増大し、洗濯物を保持する力が増大する。この錘は本体の外部に錘を脱着自在とする構成としてもよい。この場合、操作の容易性と洗濯物の保持力のバランスを考え、錘を装着の有無をコントロール可能となる。
【００４３】
回転体軸孔２を回転体の中央部や、中央部よりも回転体スライドガイドの存在しない側に設置することで、本体のコンパクト性を犠牲にはするものの、開閉部においてより強い力が働くようにしてもよい。この構成は、特に重量物を扱う場合や強風の地域等で用いられる用途に適している。
【００４４】
第１実施形態の吊り下げ型洗濯バサミは、吊り孔をハンガーに多数ぶらさげることで用いられるが、吊具３を略直方体型の長辺部から突起をもうけることで略Ｔ字型となした上で本体１の側部に新たなスライドガイドを設け、当該スライドガイドを通じて上記突起３fが本体１の外部に露出させたものを壁等に組み込むことで用いてもよい。
【００４５】
図２は、本発明の第２の実施形態を示した図であり、以下、第１の実施形態と異なる点のみ説明する。
【００４６】
本体の形状は略コの字型の一端にのみ回転体２が接続されていた第１の実施例とは異なり、略コの字型の両端に回転体２が接続されている。そのため、本体軸１ｄやスライドガイド１ｃは２つ備えられている。
【００４７】
吊具３の形状も２つの回転体２に接続するために略Ｙの字型となっている。略Ｙの字型の二股となっている側を下方、１本となっている側を上方と表現して説明すると、吊具３の上方に吊り孔が備えられており、下方には吊具軸３ａが２箇所備えられている。
【００４８】
この構成を採用した結果、２つの回転体２の動きによって略コの字型から略ロの字型へ変形を行うため、第１の実施形態よりも開閉部を大きくとることが可能となる。そのため、大きな洗濯物を対象とした洗濯バサミに好適である。なお、第２の実施形態においても上述した第１の実施形態における変形例を適用可能である。
【００４９】
第１及び第２の実施形態において回転体は略直方体であるとしたが、その他の形態を採用することも可能である。例えば、第２の実施形態において回転体を略扇型とした場合を図３に示す。回転体の形状を変化させることによって、洗濯物への力のかかり方と操作性が変化するが、吊具との連動によって開閉動作可能という一点を順守する限り、あらゆる形態を採用可能である。
【００５０】
図４は、本発明の第３の実施形態を示した図である。図４に示すとおり、本体１は略Ｙの字型であり、内部は空洞となっている。また略Ｙの字の２本となっている側の先端部の側部は空白となっており、後述する回転体を内部に接続した場合に自由に動作可能としている。以下、略Ｙの字型の二股となっている側を下方、１本となっている側を上方と表現して説明する。
【００５１】
本体は、第１の実施形態と同様に本体片１ａ及び本体片１ｂを本体接続部１ｅを通じて一体化することによって構成されている。本体片１ａ及び１ｂの材質としてはＡＢＳ樹脂をはじめとするプラスチックや、木材、アルミニウムなどが適している。
【００５２】
本体接続部１ｅの接続方法には公知のあらゆる方法を採用することができ、例えばツメとツメ受け部を構成することとしてもよいし、接着剤を用いてもよいし、軸を貫くことで接続してもよい。
【００５３】
本体接続部１ｅは数を増やせば増やすほど本体片１ａ及び１ｂを強固に接続できるが、コスト増となるため、略Ｙの字型の三叉となる部分に１つ、Ｙの字型の１本となっている側の先端部に２箇所設置すれば十分である。Ｙの字型の２本となっている側の先端部にはそれぞれ後述する本体軸孔を通じて本体片１ａ及び１ｂが接続される為である。
【００５４】
本体１のＹの字型の１本となっている箇所には本体スライドガイド１ｃが、上下方向にむかって開けられており、また、スライドガイドの上方向にも後述する吊具３が通る程度の本体開口部１ｆが設けられている。
【００５５】
本体１のＹの字型の２本となっている箇所の先端部には本体軸孔が設けられている。
【００５６】
回転体２は略扇型、イチョウ型の回転体片を２つ連結することにより構成されている。第３の実施形態に係る吊り下げ型洗濯バサミを横方向から眺めた場合に左側に連結する回転体２を回転体２L、右側に連結する回転体２を回転体２Ｒとして説明する。
【００５７】
扇の要の部分に回転体軸孔、その近辺に回転体バネ受け２Ｌａ、２Ｒａ及び回転体接続部２Ｌｂ、２Ｒｂがそれぞれ設けられている。また回転体の側面にはバネを通すための回転体スリット２Ｌｃ、２Ｒｃがそれぞれ開けられている。回転体２は回転体接続部２Ｌｂ、２Ｒｂをそれぞれ軸で貫くことで連結されている。なお、回転体接続部はツメとツメ受けの組み合わせで構成してもよい。
【００５８】
回転体２は回転体軸孔と本体軸孔１ｄを軸で貫くことによって本体１と回転自由な状態でそれぞれ接続されている。回転体のサイズは、回転体２Ｌ及び２ＲがそれぞれＹの字型の２本となっている側の先端部に接続された時であって、回転体２Ｌが最も時計の順方向に回転し、かつ、回転体２Ｒが最も時計と逆方向に回転した際に、回転体２Ｌと回転体２Ｒが接触し、回転体２Ｌ及び２Ｒがそれ以外の位置にある場合は非接触となる程度の大きさとなるよう設計している。
【００５９】
回転体２の材質としては、本体１と同様にＡＢＳ樹脂をはじめとするプラスチックや、木材、アルミニウムなどが適している。
【００６０】
吊具３は略直方体であり、その材質としては本体１と同様にＡＢＳ樹脂をはじめとするプラスチックや、木材、アルミニウムなどが適している。
【００６１】
吊具３の一端には吊り孔が開けられており、他端には吊具軸３ａが開けられている。吊具軸３ａの近傍には吊具バネ受け３ｂが設けられている。なお、吊り孔周辺部を吊り孔と中心を共有する半円柱状と加工することで、デザイン上の美観を増すことができるばかりか、手でつかむ等の動作を行う際に角があたることがなくなる。
【００６２】
吊具３は本体スライドガイド１ｃと吊具軸３ａを軸で貫くことで本体と一体化されており、本体スライドガイド１ｃにそって上下方向へ移動可能となっている。
【００６３】
吊具バネ受け３ｂと回転体バネ受け２ａには、バネ４がそれぞれ接続されている。すなわち、バネは回転体バネ受け２ａ、回転体スリット２ｃ、本体１の内部を経由して吊具バネ受け３ｂという経路で本体と接続されている。なお、バネ受けとバネの接続方法は接着剤による接着や、バネの先端部をバネ受けに巻きつけることなど、公知の様々な方法を採用することができる。
【００６４】
吊具３はバネ４を通じて回転体２と一体化されている。そのため、吊具３が本体スライドガイド１ｃの最も下方にあるときにはバネが弛緩することから回転体には何ら力が働かず、容易に回転動作を行うことができる。
【００６５】
一方、吊具３が本体スライドガイド１ｃの上方へ移動すればするほど、バネ４を通じて回転体バネ受け２Ｌａ、２Ｒａがそれぞれ上方向への力を受けることになる。図２に示すとおり回転体バネ受け２Ｌａは回転体軸よりも左側にあるため、回転体２Ｌは時計と順方向へ回転する力を受ける。この力は、吊具３がスライドガイド１ｃの最も上方にきた際に最大となる。
【００６６】
回転体２Ｒにつても同様に、回転体バネ受け２Ｒａは回転体軸よりも右側にあるため、回転体２Ｒは時計と逆方向へ回転する力を受ける。この力は、吊具３がスライドガイド１ｃの最も上方にある場合に最大となる。
【００６７】
バネ４は、想定する洗濯物の最大質量によって設計される。すなわち、最大質量と想定する洗濯物を担持した状態において、バネが伸びることによって本体１のスライドガイド１ｃの最も上方となる箇所に吊具３が位置するようなバネの長さ及びバネ定数のバネを選択する。
【００６８】
このようなバネの長さ、バネ定数のバネを選択することで、最大質量を超える洗濯物を担持した場合は、バネや回転体にその質量の全てが作用するのではなく、本体のスライドガイド１ｃにも作用するため、バネや回転体の故障を防止することができる。
【００６９】
本発明の特徴として、回転体バネ受け２Ｌａ、２Ｒａと回転体軸孔の距離が回転体の側面と回転体の軸孔の距離よりも小さくなるため、テコの原理により回転体バネ受けの回転距離、すなわちバネ４を介しての吊具３の移動距離よりも回転体の側面の回転距離は大きくなる。すなわち、本体をコンパクトに保ちながら、開閉部の動きを大きくとることができる。
【００７０】
このような構成を採用した第３の実施形態に係る吊り下げ型洗濯バサミは、吊り孔に紐や洗濯竿を通じて吊り下げた状態で用いられる。このとき、本体１及び回転体２の質量とバネ４の釣り合いによって、吊具３は本体スライドガイド１ｃの中央部周辺となる位置で安定状態となっている。
【００７１】
洗濯物等をはさむ際は、指等で回転体２Ｌ、２Ｒの双方、あるいはいずれか一方を押し上げることで回転体が回転し、回転体２Ｌと回転体２Ｒの間に隙間が発生する。
【００７２】
その隙間に洗濯物等を挿入した後に回転体２を押し上げる動作を終了すると、回転体２はバネの力によって再び元の安定状態へと回帰するため、隙間は閉じる。
【００７３】
この時、回転体２Ｌと回転体２Ｒの間の隙間が最小状態、このましくはゼロとなることから、洗濯物は回転体２Ｌと回転体２Ｒの間に挟まった状態となり、洗濯バサミとしての機能が発揮される。なお、回転体はそれぞれ回転することによって、回転体２Ｌ及び回転体２Ｒの間の隙間は拡大するため、厚みの大きい洗濯物も挟むことが可能である。
【００７４】
洗濯物を挟んでいる状態では、洗濯物自体の質量が本体１に加わることになるため、何も挟んでいない状態よりも大きな力が下方向へと加わることとなる。そのため、バネ４と吊り合っていた本体１は、洗濯物をはさむことによって下方向へ移動、すなわち本体スライドガイド１ｃのより上方が新しい安定状態となる。
【００７５】
新しい安定状態では、以前よりもバネにかかる力が増大することから、回転体２を内側方向へ回転させる力、より詳細には回転体２Ｌを時計と順方向に回転させる力、回転体２Ｒを時計と逆方向に回転させる力が増大することとなる。
【００７６】
すなわち、洗濯物自体の質量によって、洗濯物を挟む力が増大することとなるため、外部から大きな力が加わった場合であっても洗濯物を保持し続けることが可能となる。
【００７７】
図５を用いて第３の実施形態の吊り下げ型洗濯バサミの動作をより詳細に説明する。図５の左図では、本体が最上位置に達して、回転体の間隔がほぼ全開している状態である。図５の中央図は、回転体が閉じた状態である。バネ４が機能しはじめる状態であり、バネの力と本体等による重力が拮抗している安定状態である。図５の右図は、連動体と本体のスライド上限に達するまで移動させた状態である。この状態において上下振動した場合であっても、バネにより常に回転体が閉じた状態を保つよう力が作用することから、上述のとおり洗濯物を保持する力が大きくなる。
【００７８】
さらに洗濯物を挟む力を増大させるために、回転体の表面にシリコンゴム材を用いることや、シボ加工や凹凸形状に加工することで、表面摩擦力を増大させてもよい。
【００７９】
本体１の空洞部に錘を内蔵させてもよい。錘の質量によって本体の質量が増大し、回転体２を時計方向に回転する力が増大し、洗濯物を保持する力が増大する。この錘は本体の外部に錘を脱着自在とする構成としてもよい。この場合、操作の容易性と洗濯物の保持力のバランスを考え、錘を装着の有無をコントロール可能となる。
【００８０】
回転体を略扇型（略イチョウ型）としたが、その半径を部位に応じて可変としてもよい。回転体２Ｌの回転体軸孔からみて最も右手側、回転体２Ｒの回転体軸孔からみて最も左側にあたる箇所の半径を大きくとり、回転体２Ｌについてはそこから左手側に離れるに従って、回転体２Ｒについてはそこから右手側に離れるに従って半径を小さくとる。
【００８１】
この構成を採用した場合、洗濯物を挟んだ際に強く引っ張ったときに発生する本体１の荷重たわみによる広がりに追従させることが可能となる。すなわち、より強い担持力を発揮する吊り下げ型洗濯バサミとなる。
【００８２】
逆に、回転体２Ｌの回転体軸孔からみて最も右手側、回転体２Ｒの回転体軸孔からみて最も左側にあたる箇所の半径を小さくとり、両者がギリギリ接触可能なサイズとする。回転体２Ｌについてはそこから左手側に離れるに従って、回転体２Ｒについてはそこから右手側に離れるに従って半径を大きくとる。
【００８３】
この構成を採用した場合、洗濯物を挟んだ際に、半径が大きくなっていく箇所が洗濯物をより強く担持することとなるため、洗濯物が強く下方向へ引っ張られた場合に回転体２が回転しようとした際に、回転を阻止しようと働く力が徐々に大きくなることになる。すなわち、より強い担持力を発揮する吊り下げ型洗濯バサミとなる。
【００８４】
回転体の半径を大きくとり、本体からはみ出すような構成として、本発明の機能を保ちつつ、斬新なデザイン性を付与してもよい。
【００８５】
回転体２と本体１にそれぞれ回転当たり部を設けて、回転体の回転範囲を限定してもよい。この場合、洗濯物を無理に引っ張った場合であっても回転体軸や回転体そのものにかかる負荷を限定できるため、これらの箇所の故障を未然に防止することができる。
【００８６】
本体スライドガイド１ｃの下方向であって、回転体２が一定以上開いた状態となる箇所に凸となるよう加工してもよい。この場所で吊具３がひっかかることによって、回転体２が開いた状態で安定させることができるため、容易に洗濯物を装着することが可能となる。
【００８７】
さらに、スライドガイド１ｃの複数箇所に凸となる領域を設けることで、回転体２の様々な回転状態で安定させるよう構成してもよい。
【００８８】
吊具３と回転体２をバネ４で接続していたが、バネ４に代えてステンレスやＡＢＳ樹脂、糸等で作製した連結体５で接続してもよい。この場合、バネの復元力による力を利用することはできないが、コストを削減することが可能となる。
【００８９】
また、本発明の機能を損なわない範囲で様々なデザイン処理を行ってもよいことは当然である。例えば着色を工夫することや、キャラクター的なデザインを施すべく耳や口、目などを追加してもかまわない。
【００９０】
図６は、本発明の第４の実施形態を示した図であり、以下、第３の実施形態と異なる点のみ説明する。
【００９１】
本体の形状は略Ｙの字型の両端に回転体２が接続されていた第３の実施例とは異なり、略Ｙの字型の下方の一端にのみ回転体２Lが接続されており、下方の他端は略直方体状となっているにとどまり、下方の一端と他端が第３の実施例と比べて接近している。なお、回転体２Ｒは接続されない。
【００９２】
回転体２Ｌと吊具３は、回転体バネ受け２ａと吊具バネ受け３ｂを連結体５で接続されている。連結体５は、最適には直径１ミリのステンレス製の棒であるが、ＡＢＳ樹脂やその他の材質であっても差し支えない。
【００９３】
この構成を採用した結果、回転体１つのみであり、かつ、バネを用いることなく洗濯バサミの動作を実現しているため、低コストで提供することが可能となっている。なお、第４の実施形態においても上述した第３の実施形態における変形例を適用可能である。
【００９４】
なお、低コスト性を犠牲にし、連結体５に代えてバネ４を採用することで、より挟み込む力、使いやすさを得ることも可能である。
【００９５】
第３及び第４の実施形態においては、本体スライドガイド１ｃと吊具軸３ａを組み合わせることで、本体内を吊具３が本体スライドガイド１ｃに沿って動作可能としていたが、吊具に吊具スライドガイド３ｃを設け、本体側に吊具用軸１ｇを設け、これらの組み合わせで吊具スライドガイドに沿って吊具３が本体内を動作可能としてもよい。
【００９６】
図７に、第４の実施形態において吊具スライドガイド３ｃと吊具用軸１ｇを設けた変形例を示すが、これは第３の実施形態においても容易に転用可能である。
【００９７】
以上、本発明の実施形態について説明したが、本発明の実施形態の一部または全部は、以下の付記のように記載される。
［付記１］
略コの字型であり、その一端の近傍に本体スライドガイド及び本体軸孔を備えた本体部と、
略直方体でありその一端の近傍に回転体スライドガイド及びその中央部に回転体軸孔を備えた回転体と、
略直方体でありその一端の近傍に吊り孔及びその他端の近傍に吊具孔を備えた吊具とからなる吊り下げ型洗濯バサミであって、
本体スライドガイド及び回転体スライドガイド及び吊具孔を軸が貫くことによって本体の内部において本体及び回転体及び吊具が接続され、
回転体軸孔及び本体軸孔を軸が貫くことによって本体及び回転体が接続され、
吊具が本体スライドガイドの範囲内で移動することにともなって回転体が回転体軸孔を中心に回転動作し、
当該回転動作によって本体部の他端と回転体が接触状態及び非接触状態となることを特徴とした片手操作可能な吊り下げ型洗濯バサミ。
［付記２］
略コの字型であり、その一端の近傍に本体左スライドガイド及び本体左軸孔を備え、その他端の近傍に本体右スライドガイド及び本体右軸孔を備えた本体部と、
略直方体でありその一端の近傍に左回転体スライドガイド及びその中央部に左回転体軸孔を備えた左回転体と、
略直方体でありその一端の近傍に右回転体スライドガイド及びその中央部に右回転体軸孔を備えた右回転体と、
略Ｙの字型であり、その二股となっている一端の近傍に左吊具孔、二股となっている他端の近傍に右吊具孔を備え、一本状となっている端部の近傍に吊り孔を備えた吊具とからなる吊り下げ型洗濯バサミであって、
本体左スライドガイド及び回転体左スライドガイド及び左吊具孔を軸が貫くことによって本体及び回転体及び吊具が接続され、
本体右スライドガイド及び回転体右スライドガイド及び右吊具孔を軸が貫くことによって本体及び回転体及び吊具が接続され、
左回転体軸孔及び本体左軸孔を軸が貫くことによって本体及び左回転体が接続され、
右回転体軸孔及び本体右軸孔を軸が貫くことによって本体及び右回転体が接続され、
吊具が本体左スライドガイドの範囲内で移動することにともなって左回転体が左回転体軸孔を中心に回転動作し、吊具が本体右スライドガイドの範囲内で移動することにともなって右回転体が右回転体軸孔を中心に回転動作し、
当該回転動作によって左回転体と右回転体が接触状態及び非接触状態となることを特徴とした片手操作可能な吊り下げ型洗濯バサミ。
［付記３］
付記１に記載の片手操作可能な吊り下げ型洗濯バサミであって、
回転体軸孔は回転体の中央部よりも回転体スライドガイドに偏った位置に備れたことを特徴とする片手操作可能な吊り下げ型洗濯バサミ。
［付記４］
略Ｙの字型でありその一端の近傍に本体スライドガイドを備え、二股となっている他端の一方にのみ本体軸孔を備えた本体部と、
略扇型でありその中心部近傍に回転体軸孔、回転体軸孔の近傍に回転体バネ受けを備えた回転体と、
略直方体でありその一端の近傍に吊り孔及びその他端の近傍に吊具孔及び吊具バネ受けを備えた吊具とからなる吊り下げ型洗濯バサミであって、
本体軸孔と回転体軸孔を軸で接続することによって本体と回転体が接続され、
吊具孔と本体スライドガイドを軸で接続することによって吊具と本体が接続され、
吊具バネ受けと回転体バネ受けをバネまたは連結体で接続し、吊具がスライドガイドにそって上方向に移動するにつれて回転体が回転体軸孔を中心に回転し、
当該回転動作によって回転体と本体の二股となっている他端の回転体が備えられていない箇所とが接触状態及び非接触状態となることを特徴とした片手操作可能な吊り下げ型洗濯バサミ。
［付記５］
略Ｙの字型でありその一端の近傍に本体スライドガイドを備え、他端のそれぞれの近傍に本体左軸孔及び本体右軸孔を備えた本体部と、
略扇型でありその中心部近傍に左回転体軸孔、回転体軸孔から見て左側に左回転体バネ受けを備えた左回転体と、
略扇型でありその中心部近傍に右回転体軸孔、回転体軸孔から見て右側に右回転体バネ受けを備えた右回転体と、
略直方体でありその一端の近傍に吊り孔及びその他端の近傍に吊具孔及び吊具左バネ受け及び吊具右バネ受けを備えた吊具とからなる吊り下げ型洗濯バサミであって、
本体左軸孔と左回転体軸孔を軸で接続し、本体右軸孔と右回転体軸孔を軸で接続することによって本体と左回転体及び右回転体がそれぞれ接続され、
吊具孔と本体スライドガイドを軸で接続することによって吊具と本体が接続され、
吊具バネ左受けと左回転体バネ受けをバネまたは連結体で接続し、吊具バネ右受けと右回転体バネ受けをバネまたは連結体で接続することで、吊具がスライドガイドにそって上方向に移動するにつれて左回転体が時計と順方向へ左回転体軸孔を中心に回転し、右回転体が時計と逆方向へ右回転体軸孔を中心に回転し、逆に吊具がスライドガイドにそって下方向に移動するにつれて左回転体が時計と逆方向へ左回転体軸孔を中心に回転し、右回転体が時計と順方向へ右回転体軸孔を中心に回転し、
当該回転動作によって左回転体と右回転体が接触状態及び非接触状態となることを特徴とした片手操作可能な吊り下げ型洗濯バサミ。
［付記６］
付記５に記載の吊り下げ型洗濯バサミであって、
前記略扇型の左回転体は左回転体軸孔からみて右側から左側に円弧が徐々に大きくなっており、
前記略扇型の右回転体は右回転体軸孔からみて左側から右側に円弧が徐々に大きくなっていることで、
左回転体と右回転体の接触状態を維持する力が、左回転体については時計と順方向への回転、右回転帯については時計と逆方向への回転とともに増大することを特徴とする吊り下げ型洗濯バサミ。
【符号の説明】
【００９８】
１  本体
１ａ  本体を構成する片
１ｂ  本体を構成するもう一つの片
１ｃ  スライドガイド
１ｄ  本体軸孔
１ｅ  本体接続部
１ｆ  本体開口部
１ｇ  吊具用軸
２    回転体
２ａ  回転体バネ受け
２ｂ  回転体接続部
２Ｌ  本体の左側に接続される回転体
２Ｌａ  回転体バネ受け
２Ｌｂ  回転体接続部
２Ｌｃ  回転体スリット
２Ｒ  本体の右側に接続される回転体
２Ｒａ  回転体バネ受け
２Ｒｂ  回転体接続部
２Ｒｃ  回転体スリット
３    吊具
３ａ  吊具軸
３ｂ  バネ受け
３ｃ  吊具スライドガイド
３ｆ  突起
４  バネ
５  連結体
【図１】
2017196372.tif 000003
【図２】
2017196372.tif 000004
【図３】
2017196372.tif 000005
【図４】
2017196372.tif 000006
【図５】
2017196372.tif 000007
【図６】
2017196372.tif 000008
【図７】
2017196372.tif 000009
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
略コの字型であり、その一端の近傍に本体スライドガイド及び本体軸孔を備えた本体部と、
略直方体でありその一端の近傍に回転体スライドガイド及びその中央部に回転体軸孔を備えた回転体と、
略直方体でありその一端の近傍に吊り孔及びその他端の近傍に吊具孔を備えた吊具とからなる吊り下げ型洗濯バサミであって、
本体スライドガイド及び回転体スライドガイド及び吊具孔を軸が貫くことによって本体の内部において本体及び回転体及び吊具が接続され、
回転体軸孔及び本体軸孔を軸が貫くことによって本体及び回転体が接続され、
吊具が本体スライドガイドの範囲内で移動することにともなって回転体が回転体軸孔を中心に回転動作し、
当該回転動作によって本体部の他端と回転体が接触状態及び非接触状態となることを特徴とした片手操作可能な吊り下げ型洗濯バサミ。
【請求項２】
略コの字型であり、その一端の近傍に本体左スライドガイド及び本体左軸孔を備え、その他端の近傍に本体右スライドガイド及び本体右軸孔を備えた本体部と、
略直方体でありその一端の近傍に左回転体スライドガイド及びその中央部に左回転体軸孔を備えた左回転体と、
略直方体でありその一端の近傍に右回転体スライドガイド及びその中央部に右回転体軸孔を備えた右回転体と、
略Ｙの字型であり、その二股となっている一端の近傍に左吊具孔、二股となっている他端の近傍に右吊具孔を備え、一本状となっている端部の近傍に吊り孔を備えた吊具とからなる吊り下げ型洗濯バサミであって、
本体左スライドガイド及び回転体左スライドガイド及び左吊具孔を軸が貫くことによって本体及び回転体及び吊具が接続され、
本体右スライドガイド及び回転体右スライドガイド及び右吊具孔を軸が貫くことによって本体及び回転体及び吊具が接続され、
左回転体軸孔及び本体左軸孔を軸が貫くことによって本体及び左回転体が接続され、
右回転体軸孔及び本体右軸孔を軸が貫くことによって本体及び右回転体が接続され、
吊具が本体左スライドガイドの範囲内で移動することにともなって左回転体が左回転体軸孔を中心に回転動作し、吊具が本体右スライドガイドの範囲内で移動することにともなって右回転体が右回転体軸孔を中心に回転動作し、
当該回転動作によって左回転体と右回転体が接触状態及び非接触状態となることを特徴とした片手操作可能な吊り下げ型洗濯バサミ。
【請求項３】
請求項１に記載の片手操作可能な吊り下げ型洗濯バサミであって、
回転体軸孔は回転体の中央部よりも回転体スライドガイドに偏った位置に備れたことを特徴とする片手操作可能な吊り下げ型洗濯バサミ。